(57)【要約】【課題】下り信号を検出して速やかにパワーセーブモードから通常モードに遷移させると共に、受信データの取りこぼしが起こらないように制御する。【解決手段】子局パワーセーブ制御手段（２７，３３）は、ネットワーク送受信手段（２６，２８，２５）がパワーセーブモードにある場合に、受信データ検出手段２９で下り信号を検出した場合にはネットワーク送受信手段（２６，２８，２５）を通常モードに遷移させると共に、当該通常モードに切り替わるまでの期間内に当該下り信号を蓄積バッファ部３０に蓄積させ、ネットワーク送受信手段（２６，２８，２５）が通常モードに遷移完了した場合に蓄積バッファ部３０の蓄積データをネットワーク送受信手段（２６，２８，２５）を介して外部通信端末に送出するよう制御する。【選択図】図１
2011120063.tif 000002
【特許請求の範囲】
【請求項１】
親局装置と複数の子局装置を光ファイバおよびスターカプラを介して接続することにより、親局装置と複数の子局装置の間で双方向の光伝送を行うＰＯＮシステムにおいて、
子局装置は、
下流ネットワークを介して接続される外部通信端末との間で上り信号／下り信号の送受信を行うネットワーク送受信手段を上り信号／下り信号の有無に応じて通常モードまたはパワーセーブモードに切り替える子局パワーセーブ制御手段と、
下り信号の受信データを検出する受信データ検出手段と、
下り信号を一端蓄積する蓄積バッファを備え、
前記子局パワーセーブ制御手段は、前記ネットワーク送受信手段がパワーセーブモードにある場合に、前記受信データ検出手段で下り信号を検出した場合には前記ネットワーク送受信手段を通常モードに遷移指示すると共に、当該通常モードに切り替わるまでの期間を利用して当該下り信号を前記蓄積バッファに蓄積させ、前記ネットワーク送受信手段が通常モードに遷移完了した場合に前記蓄積バッファの蓄積データを前記ネットワーク送受信手段を介して前記外部通信端末に送信するよう制御することを特徴とするＰＯＮシステム。
【請求項２】
子局装置は、子局装置の状態がパワーセーブモードである場合にパワーセーブモードを表すステータス信号を親局装置に送信し、
前記親局装置は、上記ステータス信号を受信して、前記子局装置のステータスを保持し、下り信号を送信するときには、前記保持したステータスに応じて事前に送信開始通知のパターンを前記子局装置に送信し、
前記子局装置の子局パワーセーブ制御手段は、受信した前記送信開始通知のパターンに応じてパワーセーブモードから通常モードに遷移する制御を行うことを特徴とする請求項１記載のＰＯＮシステム。
【請求項３】
親局装置と光ファイバおよびスターカプラを介して接続され、親局装置との間で双方向の光伝送を行うＰＯＮシステムの子局装置において、
下流ネットワークを介して接続される外部通信端末との間で上り信号／下り信号の送受信を行うネットワーク送受信手段を上り信号／下り信号の有無に応じて通常モードまたはパワーセーブモードに切り替える子局パワーセーブ制御手段と、
下り信号の受信データを検出する受信データ検出手段と、
下り信号を一端蓄積する蓄積バッファを備え、
前記子局パワーセーブ制御手段は、前記ネットワーク送受信手段がパワーセーブモードにある場合に、前記受信データ検出手段で下り信号を検出した場合には前記ネットワーク送受信手段を通常モードに遷移指示すると共に、当該通常モードに切り替わるまでの期間を利用して当該下り信号を前記蓄積バッファに蓄積させ、前記ネットワーク送受信手段が通常モードに遷移完了した場合に前記蓄積バッファの蓄積データを前記ネットワーク送受信手段を介して前記外部通信端末に送信するよう制御することを特徴とするＰＯＮシステムの子局装置。
【発明の詳細な説明】
【技術分野】
【０００１】
この発明は、パワーセーブ機能を備えるＰＯＮ（Passive Optical Network）システム、およびＰＯＮシステムの子局装置に関するものである。
【背景技術】
【０００２】
近年、ＦＴＴＨ（Fiber To The Home）の普及により、２００８年度末わが国のブロードバンドの加入者数は３０００万を越えた。各家庭内においては、ＰＯＮシステムの宅内装置（子局装置）やそれに付随したネットワーク装置が多数設置され、消費電力が増加しているため、ＰＯＮシステムの低消費電力化が急務となっている。従来のＰＯＮにおけるパワーセーブ機能は、Ｅｔｈｅｒｎｅｔ（登録商標／以下、省略して記載）のパワーセーブとは独立して動作するため、パワーセーブ実施の前後で転送データの整合性を取とることが困難であった。また、国際標準化の検討で「すべてのコンピューターは、リンク速度の早い変化を規定する業界規格に従い、低データ通信量である間、ネットワークのリンク速度を低減する」ことを求めている。この規格は現在、「省エネ型イーサネット（Energy Efficient Ethernet）」に関するＩＥＥＥ８０２．３ａｚタスクフォースにより策定中である。
【０００３】
従来のパワーセーブ機能に関し、例えばコピー機やプリンタなどにおいて、スリープモード時にデータを受信すると、電源制御部からＣＰＵなどに通常電源の供給がなされることによりＣＰＵが所定のブート処理を開始するが、この間の受信データをサブメモリに格納し、ブート処理が終了した場合にサブメモリ内の格納データをメインメモリに転送するようにしてデータの取りこぼしを防ぐという技術が提案されている（例えば特許文献１参照）。
【先行技術文献】
【特許文献】
【０００４】
【特許文献１】特開２００１−２５７７３５号公報
【発明の概要】
【発明が解決しようとする課題】
【０００５】
ＰＯＮシステムは、子局装置が、その上位装置である親局装置に、また下位装置である、ＰＣ、電話器、ＦＡＸ、ゲーム機などの各種外部通信端末に接続されて構成されている。子局装置から見ると、親局装置へは光インタフェースを介して接続され、各種外部通信端末へはネットワークおよびモデム装置を介して接続されおり、親局装置側と、外部通信端末に接続されているネットワークが独立にパワーセーブモードに移行することが求められている。しかし、子局装置に接続される各種外部通信端末には、ＩＰ電話などリアルタイム性を要求するものがあるため、上記特許文献１に記載された技術のようにサブメモリに一旦蓄積した後にメインメモリに切り替えるなどの時間ロスが生じる方法は適さない。このため、親局装置から送信されたデータを受信した場合、ＬＡＮなどに接続されている、子局装置内のネットワーク送受信部がパワーセーブモードにあれば、直ちに通常モードに立ち上げる必要があり、その間、親局装置からの受信データをモニタし、蓄積し、下流装置に送信することができるようにする必要がある。
【０００６】
この発明は、上記のような問題点を解決するためになされたもので、下り信号を検出して速やかにパワーセーブモードから通常モードに遷移させると共に、受信データの取りこぼしが起こらないように制御するＰＯＮシステム、およびＰＯＮシステムの子局装置を得ることを目的とする。
【課題を解決するための手段】
【０００７】
この発明に係るＰＯＮシステムは、親局装置と複数の子局装置を光ファイバおよびスターカプラを介して接続することにより、親局装置と複数の子局装置の間で双方向の光伝送を行うＰＯＮシステムにおいて、子局装置は、下流ネットワークを介して接続される外部通信端末との間で上り信号／下り信号の送受信を行うネットワーク送受信手段を上り信号／下り信号の有無に応じて通常モードまたはパワーセーブモードに切り替える子局パワーセーブ制御手段と、下り信号の受信データを検出する受信データ検出手段と、下り信号を一端蓄積する蓄積バッファ部を備え、子局パワーセーブ制御手段は、ネットワーク送受信手段がパワーセーブモードにある場合に、受信データ検出手段で下り信号を検出した場合にはネットワーク送受信手段を通常モードに遷移指示すると共に、当該通常モードに切り替わるまでの期間を利用して当該下り信号を蓄積バッファ部に蓄積させ、ネットワーク送受信手段が通常モードに遷移完了した場合に蓄積バッファ部の蓄積データをネットワーク送受信手段を介して外部通信端末に送信するよう制御するものである。
【発明の効果】
【０００８】
この発明によれば、子局装置に接続されている外部通信端末、および親局装置と子局装置間の通信状況に応じてパワーセーブ機能を働かせることで子局装置の消費電力を抑えることに加え、パワーセーブモードになった場合でも、下り信号を受信した場合には通常モードに復帰するまで下りデータを蓄えて、短時間にモードを切り替えて蓄積データを下流の外部通信端末に送信できるようにしているので、データの取りこぼしを防ぎ、通信異常を発生させないようにできる効果がある。
【図面の簡単な説明】
【０００９】
【図１】この発明の実施の形態１によるＰＯＮシステムの機能構成を示すブロック図である。
【図２Ａ】同実施の形態１に係る下り信号の有無に対する子局ネットワークパワーモニタ制御部の動作手順を示すフローチャートである。
【図２Ｂ】同実施の形態１に係る下り信号の有無に対する子局ネットワークパワーモニタ制御部の動作手順を示すフローチャートである。
【図３Ａ】同実施の形態１に係る上り信号の有無に対する子局ネットワークパワーモニタ制御部の動作手順を示すフローチャートである。
【図３Ｂ】同実施の形態１に係る上り信号の有無に対する子局ネットワークパワーモニタ制御部の動作手順を示すフローチャートである。
【図４Ａ】同実施の形態１に係る下り信号の有無に対する子局装置制御部の動作手順を示すフローチャートである。
【図４Ｂ】同実施の形態１に係る下り信号の有無に対する子局装置制御部の動作手順を示すフローチャートである。
【図５Ａ】同実施の形態１に係る上り信号の有無に対する子局装置制御部の動作手順を示すフローチャートである。
【図５Ｂ】同実施の形態１に係る上り信号の有無に対する子局装置制御部の動作手順を示すフローチャートである。
【図６】この発明の実施の形態２によるＰＯＮシステムの機能構成を示すブロック図である。
【図７Ａ】同実施の形態２に係る親局光送受信制御部の動作手順を示すフローチャートである。
【図７Ｂ】同実施の形態２に係る親局光送受信制御部の動作手順を示すフローチャートである。
【図８Ａ】同実施の形態２に係る子局光送受信部の動作手順を示すフローチャートである。
【図８Ｂ】同実施の形態２に係る子局光送受信部の動作手順を示すフローチャートである。
【発明を実施するための形態】
【００１０】
実施の形態１．
図１は、この発明の実施の形態１によるＰＯＮシステムの機能構成を示すブロック図である。
図１において、ＰＯＮシステムは、ＯＬＴ（Optical Line Terminal）と呼ばれる親局装置１０、ＯＮＵ（Optical Network Unit）と呼ばれるユーザ宅に設置される子局装置２０、親局装置１０と子局装置２０間を結ぶ伝送路の光ファイバ５０、親局装置１０と複数の子局装置２０の間の光伝送を可能にするスターカプラ（光スプリッタとも言う）４０などから構成される。子局装置２０には、モデム６０を介して電話機６１、ＦＡＸ６２およびＰＣ６３など（以下、これらを外部通信端末と呼ぶ）が接続される。
親局装置１０において、親局光送受信部１２は、光ファイバ５０を介して子局装置２０から送られた光信号を受信して光／電気変換を行い、電気信号をデータ生成して上位ネットワーク（図示せず）へ転送する処理を行い、また、上位ネットワークから受信したデータを電気／光変換に変換し、光信号を光ファイバ５０を介して子局装置２０へ送信する手段である。親局装置１０では、他にＰＯＮ区間や子局装置２０の監視や登録、および子局装置２０からの上り方向通信の衝突を避けるための子局装置２０対する帯域割り当て制御なども行うが、この発明の趣旨とは直接関係ないので、詳細はここでは省略する。
【００１１】
次に、子局装置２０の構成において、子局光送受信部２２は、光ファイバ５０を介して親局装置１０から受信した光信号を光／電気変換して電気データにし、また、下流から入力された送信データを電気／光変換して光信号にして光ファイバ５０介して親局装置１０へ送信する手段である。子局ＰＯＮ制御部２３は、受信信号あるいは下流から入力される送信データに対して、標準化、通信キャリアで規定されたデータ処理、例えば誤り訂正、暗号／復号化などの処理を行う手段である。子局ＰＯＮパワーセーブモニタ制御部２４は、子局光送受信部２２が親局装置１０から受信するデータ状況をモニタし、パワーコントロールを行う手段である。子局ネットワーク制御部２５は、受信データあるいは送信データに対して、標準化、通信キャリアで規定されたデータ処理、例えば帯域制御、優先制御などの処理を行う手段である。
【００１２】
ネットワーク送受信部２６は、ＬＡＮなどで利用されるデータ伝送技術で、単位データ(フレーム)の送受信方法やその形式、あるいは誤り検出など（具体的には、ＭＡＣ：Media Access Control）を行う手段である。子局ネットワークパワーモニタ制御部２７は、子局ネットワーク制御部２５で加工処理された受信データ（下り信号）および外部通信端末からの送信データ（上り信号）の状況をモニタしパワーコントロールする手段である。子局ネットワークＰＨＹ（physical layer）２８は、ＰＣ、電話機、ＦＡＸなどの外部通信端末と通信するために伝送経路に応じてデータフォーマット変換、タイミング制御する手段である。蓄積バッファ部３０は、子局ネットワークパワーモニタ制御部２７がパワーセーブモードにあるときに受信データ検出部２９が親局装置１０からの受信データ（下り信号）を検出した場合に、子局ネットワークパワーモニタ制御部２７がパワーセーブモードから通常状態に戻るまでの間パケットデータである受信データ（下り信号）を蓄積しておく手段である。子局装置制御部３３は、子局装置２０内の各部を制御する手段である。
【００１３】
次に、この実施の形態１に係るパワーコントロールの動作について説明する。
図２は、下り信号の有無に対する子局ネットワークパワーモニタ制御部２７の動作手順を示すフローチャートである。まず、図２Ａのフローに従って、下り信号の有無に対する「通常モードからパワーセーブモードへの移行動作」について説明する。
今、ネットワーク送受信部２６および子局ネットワークＰＨＹ２８は通常モードに設定されているものとする。子局ネットワークパワーモニタ制御部２７は、子局装置制御部３３からパワーセーブモードに遷移する指示を受けて（ステップＳＴ１０１）、ネットワーク送受信部２６に対してパワーセーブモードに遷移するコマンドを発行する（ステップＳＴ１０２）。このコマンドを受けたネットワーク送受信部２６では、子局ネットワーク制御部２５からのデータ（下り信号）が子局ネットワークＰＨＹ２８に送信中であるかを判定する（ステップＳＴ１０３）。子局ネットワーク制御部２５からのデータ（下りの信号）が子局ネットワークＰＨＹ２８に送信中である場合、そのまま、データを外部通信端末側に送り続ける（ステップＳＴ１０４）。
【００１４】
一方、ステップＳＴ１０３の判定で、子局ネットワーク制御部２５からのデータ（下りの信号）が子局ネットワークＰＨＹ２８に送信されていない場合には、子局ネットワークパワーモニタ制御部２７はネットワーク送受信部２６をパワーセーブモードに遷移させる（ステップＳＴ１０５）。次に、子局ネットワークパワーモニタ制御部２７では、子局ネットワークＰＨＹ２８がパワーセーブモードに遷移を完了しているかを判定するためのウオッチドッグタイマの初期値を設定する（ステップＳＴ１０６）。ネットワーク送受信部２６は、パワーセーブモードに遷移する指示コマンドを子局ネットワークＰＨＹ２８に発行し（ステップＳＴ１０７）、このコマンドを受信した子局ネットワークＰＨＹ２８はパワーセーブモードに遷移する（ステップＳＴ１０８）。次に、子局ネットワークＰＨＹ２８は、自己がパワーセーブモード遷移を完了したかを判定し（ステップＳＴ１０９）、パワーセーブモード遷移を完了したと判定した場合には、パワーセーブモード遷移完了をネットワーク送受信部２６に通知する（ステップＳＴ１１０）。これを受けたネットワーク送受信部２６は、子局ネットワークパワーモニタ制御部２７にパワーセーブモードに遷移したことを通知する（ステップＳＴ１１１）。さらに、子局ネットワークパワーモニタ制御部２７は、子局装置制御部３３にパワーセーブモードに遷移したことを通知して終了する（ステップＳＴ１１２）。
【００１５】
一方、ステップＳＴ１０９の判定で、子局ネットワークＰＨＹ２８のパワーセーブモード遷移が完了してない場合には、ネットワーク送受信部２６は、子局ネットワークパワーモニタ制御部２７に対して、通常モードからパワーセーブモードに遷移できていないことを通知する（ステップＳＴ１１３）。これを受けた子局ネットワークパワーモニタ制御部２７は、子局ネットワークＰＨＹ２８がパワーセーブモードに遷移を完了しているかを判断するために、子局ネットワークパワーモニタ制御部２７内に備えたウオッチドッグタイマを計数する（ステップＳＴ１１４）。次に、ウオッチドッグタイマがユーザ設定値に到達したかを判定し（ステップＳＴ１１５）、到達した場合には、子局ネットワークパワーモニタ制御部２７は、子局装置制御部３３に対してパワーセーブモードに遷移できなかったことを通知して終了する（ステップＳＴ１１６）。
一方、ステップＳＴ１１５の判定で、ウオッチドッグタイマがユーザ設定値に到達していない場合には、ネットワーク送受信部２６からパワーセーブに遷移するコマンドを子局ネットワークＰＨＹ２８に再送するＳＴ１０７からの動作をウオッチドッグタイマが設定値に到達するか、子局ネットワークＰＨＹ２８がパワーセーブモードに遷移完了するまで続ける。
【００１６】
次に、図２Ｂのフローに従って、下り信号の有無に対する「パワーセーブモードから通常モードへの移行動作」について説明する。
今、ネットワーク送受信部２６および子局ネットワークＰＨＹ２８はパワーセーブモードに設定されているものとする。子局ネットワークパワーモニタ制御部２７は、子局装置制御部３３から出された通常モードに遷移する指示を受けて（ステップＳＴ２０１）、ネットワーク送受信部２６に対して通常モードに遷移するコマンドを発行する（ステップＳＴ２０２）。次に、子局ネットワークパワーモニタ制御部２７では、子局ネットワークＰＨＹ２８が通常モードに遷移を完了しているかを判定するためのウオッチドッグタイマの初期値を設定する（ステップＳＴ２０３）。ネットワーク送受信部２６は、子局ネットワークＰＨＹ２８に通常モードに遷移するコマンドを発行し（ステップＳＴ２０４）、子局ネットワークＰＨＹ２８を通常モードに遷移させる（ステップＳＴ２０５）。次に、子局ネットワークＰＨＹ２８は、自己が通常モードに遷移を完了したかを判定し（ステップＳＴ２０６）、通常モード遷移を完了したと判定した場合には、通常モード遷移完了をネットワーク送受信部２６に通知する（ステップＳＴ２０７）。これを受けたネットワーク送受信部２６は、子局ネットワークパワーモニタ制御部２７に通常モードに遷移したことを通知する（ステップＳＴ２０８）。さらに、子局ネットワークパワーモニタ制御部２７は、子局装置制御部３３に対し通常モードに遷移したことを通知し終了する（ステップＳＴ２０９）。
【００１７】
一方、ステップＳＴ２０６の判定で、子局ネットワークＰＨＹ２８の通常モード遷移が完了していない場合には、ネットワーク送受信部２６は、子局ネットワークパワーモニタ制御部２７に対して、通常モードに遷移できていないことを通知する（ステップＳＴ２１０）。これを受けた子局ネットワークパワーモニタ制御部２７は、子局ネットワークＰＨＹ２８が通常モード遷移を完了しているかを判定するためのウオッチドッグタイマを計数する（ステップＳＴ２１１）。次に、ウオッチドッグタイマがユーザ設定値に到達したかを判定し（ステップＳＴ２１２）、到達した場合には、子局ネットワークパワーモニタ制御部２７は、子局装置制御部３３に対して通常モードに遷移できなかったことを通知して終了する（ステップＳＴ２１３）。
一方、ステップＳＴ２１２の判定で、ウオッチドッグタイマがユーザ設定値に到達していない場合には、ネットワーク送受信部２６から子局ネットワークＰＨＹ２８に通常モードに遷移するコマンドを再送するＳＴ２０４からの動作をウオッチドッグタイマが設定値に到達するか、子局ネットワークＰＨＹ２８が通常モードに遷移完了するまで続ける。
なお、図２の動作では、ウオッチドッグタイマを子局ネットワークパワーモニタ制御部２７内に備えた例について説明したが、代わりに子局装置制御部３３内に備えるようにしてもよい。ただし、その場合にはＳＴ１０５でネットワーク送受信部２６をパワーセーブモードに遷移したという情報を子局ネットワークパワーモニタ制御部２７経由で子局装置制御部３３に伝達する手段が必要となる。
【００１８】
図３は、上り信号の有無に対する子局ネットワークパワーモニタ制御部２７の動作手順を示すフローチャートである。まず、図３Ａのフローに従って、上り信号の有無に対する「通常モードからパワーセーブモードへの移行動作」について説明する。
今、ネットワーク送受信部２６および子局ネットワークＰＨＹ２８は通常モードに設定されているものとする。子局ネットワークＰＨＹ２８は、外部通信端末からの受信信号（上り信号）の終わりを検出すると（ステップＳＴ３０１）、外部通信端末から再び受信信号（上り信号）が入力されていないかを判定するために、子局ネットワークＰＨＹ２８内に備えたウオッチドッグタイマの初期値を設定する（ステップＳＴ３０２）。次に、受信信号が再び入力されているかを判定し（ステップＳＴ３０３）、受信信号（上り信号）が再び入力された場合には、再び子局ネットワークＰＨＹ２８にて受信信号（上り信号）の終わりを検出し、ウオッチドッグタイマを初期値に設定する動作を繰り返す。一方、ステップＳＴ３０３の判定で、受信信号が再び入力されない場合には、ウオッチドッグタイマを計数し（ステップＳＴ３０４）、ウオッチドッグタイマがユーザ設定した値に到達したか判定する（ステップＳＴ３０５）。
【００１９】
ウオッチドッグタイマがユーザ設定した値に到達した場合には、子局ネットワークＰＨＹ２８は、ネットワーク送受信部２６に対してパワーセーブモードに遷移するコマンドを発行する（ステップＳＴ３０６）。このコマンドを受け取ったネットワーク送受信部２６は、通常モードからパワーセーブモードに遷移し（ステップＳＴ３０７）、パワーセーブモードに遷移したことを子局ネットワークモニタ制御部２７に通知する（ステップＳＴ３０８）。これを受けた子局ネットワークパワーモニタ制御部２７は、子局装置制御部３３に対してネットワーク送受信２６がパワーセーブモードに遷移したことを通知し終了する（ステップＳＴ３０９）。
一方、ステップＳＴ３０５の判定で、ウオッチドッグタイマがユーザ設定した値に到達しない場合には、外部通信端末からの受信信号があるかを判定するＳＴ３０３に戻り、ウオッチドッグタイマが設定値に到達するまで動作を繰り返す。
【００２０】
次に、図３Ｂのフローに従って、上り信号の有無に対する「パワーセーブモードから通常モードへの移行動作」について説明する。
今、ネットワーク送受信部２６および子局ネットワークＰＨＹ２８はパワーセーブモードに設定されているものとする。子局ネットワークＰＨＹ２８は、外部通信端末からの受信信号(上り信号）があるかを常に監視する（ステップＳＴ４０１）。受信信号(上り信号）が存在した場合には、子局ネットワークＰＨＹ２８は、ネットワーク送受信部２６に対してパワーセーブモードから通常モードに遷移するコマンドを発行し（ステップＳＴ４０２）、ネットワーク送受信部２６を通常モードに遷移させる（ステップＳＴ４０３）。ネットワーク送受信部２６は、通常モードに遷移したことを子局ネットワークパワーモニタ制御部２７に通知する（ステップＳＴ４０４）。これを受けて子局ネットワークパワーモニタ制御部２７は、子局装置制御部３３に対しネットワーク送受信部２６が通常モードに遷移したこと通知して終了する（ステップＳＴ４０５）。
【００２１】
図４は、下り信号の有無に対する子局装置制御部３３の動作手順を示すフローチャートである。まず、図４Ａのフローに従って、下り信号の有無に対する「通常モードからパワーセーブモードへの移行動作」について説明する。
今、ネットワーク送受信部２６および子局ネットワークＰＨＹ２８は通常モードに設定されているものとする。受信データ検出部２９で子局ＰＯＮ制御部２３の出力である受信データを検出することにより、親局装置１０からの受信信号（下り信号）の有無を判定する（ステップＳＴ５０１）。受信信号（下り信号）が無い場合には、子局送光受信部２２を経由して親局装置１０から受信信号（下り信号）が入力されるまで検出を続ける。一方、ステップＳＴ５０１の判定で、親局装置１０からの受信信号（下り信号）があった場合には、子局装置制御部３３は、受信データを蓄積バッファ部３０に蓄積させる（ステップＳＴ５０２）。次に、子局装置制御部３３は、蓄積バッファ部３０に受信データが蓄積されているかを判定し（ステップＳＴ５０３）、受信データ（下り信号）が蓄積されている場合には、蓄積バッファ部３０から子局ネットワーク制御部２５に蓄積データを出力させ（ステップＳＴ５０４）、その後、再度、受信データ検出部２９が親局装置１０からの受信信号（下り信号）を検出して、蓄積バッファ部３０に蓄積するのを待つ。
【００２２】
一方、ステップＳＴ５０３の判定で、親局装置１０からの受信信号（下り信号）がない場合には、蓄積バッファ部３０は、蓄積バッファ部３０に受信データが一定期間存在していないかどうかを判定するための時間カウンタに初期値を設定する（ステップＳＴ５０５）。次に、子局装置制御部３３は、時間カウンタがユーザ設定値に到達したかどうかを判定する（ステップＳＴ５０６）。時間カウンタがユーザ設定値に到達した場合には、蓄積バッファ部３０は子局装置制御部３３に対してパワーセーブモードに遷移するように指示を出す（ステップＳＴ５０７）。これを受けた子局装置制御部３３は、子局ネットワークパワーモニタ制御部２７に対してパワーセーブモードに遷移するように指示する（ステップＳＴ５０８）。指示を受けた子局ネットワークパワーモニタ制御部２７は、上記図２Ａで説明したように、通常モードからパワーセーブモードへの移行動作に入る。
一方、ステップＳＴ５０６の判定で、時間カウンタがユーザ設定値に到達していない場合には、時間カウンタを計数して時間カウンタがユーザ設定値に到達するまで繰り返す。
【００２３】
次に、図４Ｂのフローに従って、下り信号の有無に対する「パワーセーブモードから通常モードへの移行動作」について説明する。
今、ネットワーク送受信部２６および子局ネットワークＰＨＹ２８はパワーセーブモードに設定されているものとする。受信データ検出部２９で子局ＰＯＮ制御部２３の出力である受信データの検出することにより、親局装置１０からの受信信号（下り信号）の有無を判定する（ステップＳＴ６０１）。受信信号（下り信号）が無い場合には、子局送光受信部２２を経由して親局装置１０から受信信号（下り信号）が入力されるまで検出を続ける。一方、ステップＳＴ６０１の判定で、親局装置１０からの受信信号（下り信号）があった場合には、蓄積バッファ部３０は、子局装置制御部３３に対してパワーセーブモードから通常モードに遷移するよう指示を出す（ステップＳＴ６０２）。これを受けた子局装置制御部３３は、子局ネットワークパワーモニタ制御部２７に対して、パワーセーブモードから通常モードに遷移するよう指示する（ステップＳＴ６０３）。ここで、子局装置制御部３３から通常モードに遷移を指示された子局ネットワークパワーモニタ制御部２７は、その後上記図２Ｂで説明した、パワーセーブモードから通常モードへの移行動作に入る。
【００２４】
また、ステップＳＴ６０３と同時に、子局装置制御部３３は、ネットワーク送受信部２６の状態がパワーセーブモードかあるいは通常モードであるかを判定する（ステップＳＴ６０４）。もしもネットワーク送受信部２６が通常モードである場合には、下流側もパワーセーブモードでないから、通常通りデータを送出しても問題ないため、子局装置制御部３３は蓄積バッファ部３０から子局ネットワーク制御部２５にデータ（下り信号）を出力させる（ステップＳＴ６０７）。一方、ステップＳＴ６０４の判定で、ネットワーク送受信部２６がパワーセーブモードである場合には、ＳＴ６０３の処理により子局装置制御部３３から子局ネットワークパワーモニタ制御部２７に通常モードに遷移する指示が到達し、指示が実行され通常モードに遷移完了するまでに時差があるため、その間に蓄積バッファ部３０に親局装置１０からの受信データ（下り信号）を蓄積する（ステップＳＴ６０５）。次に、蓄積バッファ部３０は、容量が満杯になっているかどうかを判定し（ステップＳＴ６０６）、満杯でない場合には、満杯になるまで蓄積を続ける。また、満杯になった場合には、蓄積バッファ部３０から子局ネットワーク制御部２５にデータ（下り信号）を出力させる（ステップＳＴ６０７）。
【００２５】
ここで、蓄積バッファ部３０の容量は、例えば蓄積バッファ部３０から子局ネットワーク制御部２５を経由してネットワーク送受信部２６に到達するまでの時間と、連続でどれくらいのデータが親局装置１０から光ファイバ５０、子局光送受信部２２を経由して入力されるかで決定するか、あるいは大きい蓄積バッファを準備し、ユーザが子局装置制御部３３から使用する容量を設定するようにすればよい。
【００２６】
図５は、上り信号の有無に対する子局装置制御部３３の動作手順を示すフローチャートである。まず、図５Ａのフローに従って、上り信号の有無に対する「通常モードからパワーセーブモードへの移行動作」について説明する。
当初、ネットワーク送受信部２６および子局ネットワークＰＨＹ２８は通常モードに設定されていたものとする。子局装置制御部３３は、子局ネットワークパワーモニタ制御部２７から、ネットワーク送受信部２６が通常モードからパワーセーブモードに遷移したことを受け取ると（ステップＳＴ７０１）、子局ネットワーク制御部２５に対してパワーセーブモードに遷移する指示を出す（ステップＳＴ７０２）。さらにその後、子局装置制御部３３は、子局ネットワーク制御部２５がパワーセーブモードに遷移完了したことの通知を受ける（ステップＳＴ７０３）。
なお、子局ネットワークパワーモニタ制御部２７からネットワーク送受信部２６がパワーセーブモードに遷移したことを受け取るステップＳＴ７０１の前の動作は、上記図３Ａで説明した、上り信号の有無に対する子局ネットワークパワーモニタ制御部２７の「通常モードからパワーセーブモードへの移行動作」である。
【００２７】
次に、図５Ｂのフローに従って、上り信号の有無に対する「パワーセーブモードから通常モードへの移行動作」について説明する。
当初ネットワーク送受信部２６および子局ネットワークＰＨＹ２８はパワーセーブモードに設定されていたものとする。子局装置制御部３３は、子局ネットワークパワーモニタ制御部２７から、ネットワーク送受信部２６がパワーセーブモードから通常モードに遷移したことを受け取ると（ステップＳＴ８０１）、子局ネットワーク制御部２５に対して通常モードに遷移する指示を出す（ステップＳＴ８０２）。さらにその後、子局装置制御部３３は、子局ネットワーク制御部２５が通常モードに遷移完了したことの通知を受ける（ステップＳＴ８０３）。
なお、子局ネットワークパワーモニタ制御部２７からネットワーク送受信部２６が通常モードに遷移したことを受け取るステップＳＴ８０１の前の動作は、上記図３Ｂで説明した、上り信号の有無に対する子局ネットワークパワーモニタ制御部２７の「パワーセーブモードから通常モードへの移行動作」である。
【００２８】
以上のように、この実施の形態１によれば、子局装置２０が、下流ネットワークを介して接続される外部通信端末との間で上り信号／下り信号の送受信を行うネットワーク送受信手段（２６，２８，２５）を上り信号／下り信号の有無に応じて通常モードまたはパワーセーブモードに切り替える子局パワーセーブ制御手段（２７，３３）と、下り信号の受信データを検出する受信データ検出手段２９と、下り信号を一端蓄積する蓄積バッファ部３０を備え、子局パワーセーブ制御手段（２７，３３）は、ネットワーク送受信手段（２６，２８，２５）がパワーセーブモードにある場合に、受信データ検出手段２９で下り信号を検出した場合にはネットワーク送受信手段（２６，２８，２５）を通常モードに遷移させると共に、当該通常モードに切り替わるまでの期間内に当該下り信号を蓄積バッファ部３０に蓄積させ、ネットワーク送受信手段（２６，２８，２５）が通常モードに遷移完了した場合に蓄積バッファ部３０の蓄積データをネットワーク送受信手段（２６，２８，２５）を介して外部通信端末に送出するよう制御するようにしている。したがって、子局装置に接続されている外部通信端末、および親局装置と子局装置間の通信状況に応じてパワーセーブ機能を働かせることで子局装置の消費電力を抑えることに加え、パワーセーブモードになった場合でも、下り信号を受信した場合には通常モードに復帰するまで下りデータを蓄えて、短時間にモードを切り替えて蓄積データを下流の外部通信端末に送信できるようにしているので、データの取りこぼしを防ぎ、通信異常を発生させないようにできる効果がある。
【００２９】
実施の形態２．
図６は、この発明の実施の形態２によるＰＯＮシステムの機能構成を示すブロック図である。図において、図１の実施の形態１の構成に相当する部分には同一符号を付して示す。この実施の形態２の子局装置２０では、実施の形態１の子局ＰＯＮパワーセーブモニタ制御部２４に代えて、子局光送受信制御部３５が設けられている。また、この実施の形態２の親局装置１０には、親局光送受信制御部１３と親局装置制御部１４が新たに追加されている。
子局光送受信制御部３５は、子局装置２０の状態、すなわちパワーセーブモードまたは通常モードであることを示すステータス信号を親局装置１０に送信し、また親局装置１０から子局装置２０に与えられる送信開始トリガとなる信号を受信してパターンを解析してステータスを保持する手段である。親局光送受信制御部１３は、親局光送受信部１２が子局装置２０から受信した信号の中から、子局装置２０からのステータス信号を受け、また親局装置１０から子局装置２０に送信開始をするトリガとなる信号を送信するためのパワー発生と、受信したパターンを解析しステータスを保持する手段である。親局装置制御部１４は、親局装置全体の制御を行う手段である。
【００３０】
図７は、この発明の実施の形態２に係る親局光送受信制御部１３の動作手順を示すフローチャートである。まず、図７Ａのフローに従って、子局装置２０からのステータス信号の受信動作について説明する。
親局光送受信制御部１３は、親局光送受信部１２で光／電気変換された子局装置２０からの信号を受け取り（ステップＳＴ９０１）、受け取った信号の中身が子局装置２０のパワーセーブモードを表すスタータス信号であるかを判定する（ステップＳＴ９０２）。ステータスを示す信号でない場合には、受け取った信号を廃棄して終了（ステップＳＴ９０３）。一方、パワーセーブモードのステータスであった場合には、子局装置２０がパワーセーブモードかを判定する（ステップＳＴ９０４）。子局装置２０がパワーセーブモードである場合には、親局光送受信制御部１３は、親局装置制御部１４に対して、子局装置２０のネットワーク送受信部２６がパワーセーブモードであることを通知する（ステップＳＴ９０５）。通知を受けた親局装置制御部１４は、子局装置２０のパワーセーブモードのステータスを保持する。
【００３１】
次に、図７Ｂのフローに従って、子局装置２０への送信開始通知の送信動作について説明する。
親局光送受信制御部１３は、親局装置制御部１４から子局装置２０がパワーセーブモードで、かつ信号を送信開始要求されていることの通知を受ける（ステップＳＴ１００１）。すると、親局光送受信制御部１３は、子局装置２０に出す送信開始通知に相当するパターンを親局光送受信部１２に送信し、親局光送受信部１２はこのパターンを電気／光変換して子局装置２０に送信する（ステップＳＴ１００２）。
【００３２】
図８は、この発明の実施の形態２に係る子局光送受信制御部３５の動作手順を示すフローチャートである。まず、図８Ａのフローに従って、親局装置１０からの送信要求受信動作について説明する。
子局光送受信制御部３５は、子局光送受信部２２で光／電気変換された下り信号を受け取り（ステップＳＴ１１０１）、受け取った下り信号が親局装置１０からの送信要求であるかを判定する（ステップＳＴ１１０２）。受け取った下り信号が親局装置１０からの送信要求でない場合には、その信号を廃棄して終了する（ステップＳＴ１１０３）。一方、受け取った下り信号が親局装置１０からの送信要求の場合には、子局光送受信制御部３５は、パワーセーブモードから通常モードに遷移する指示を子局装置制御部３３に出す（ステップＳＴ１１０４）。そして、子局装置制御部３３は、受け取ったパワーセーブモードから通常モードに遷移する指示を子局ネットワークパワーモニタ制御部２７に通知し、通常モードに遷移する動作を実施する。その動作は実施の形態１の図２Ｂで説明した「パワーセーブモードから通常モードへの移行動作」となる。
【００３３】
次に、図８Ｂのフローに従って、子局装置２０の送信開始通知の送信動作について説明する。
子局光送受信制御部３５は、子局装置制御部３３から子局装置２０内のネットワーク送受信部２６がパワーセーブモードであることの通知を受ける（ステップＳＴ１２０１）。これに応じて子局光送受信制御部３５は、子局装置２０の送信開始通知に相当するパターンを子局光送受信部２２に送信し、子局光送受信部２２はその送信開始通知を電気／光変換して親局装置１０に送信する（ステップＳＴ１２０２）。
【００３４】
以上のように、この実施の形態２によれば、子局装置２０は、子局装置の状態がパワーセーブモードである場合にパワーセーブモードを表すステータス信号を親局装置１０に送信し、親局装置１０は、上記ステータス信号を受信して、子局装置２０のステータスを保持し、下り信号を送信するときには、保持したステータスに応じて事前に送信開始通知のパターンを子局装置２０に送信し、子局装置２０の子局パワーセーブ制御手段（３５，３３，２７）は、受信した送信開始通知のパターンに応じてパワーセーブモードから通常モードに遷移する制御を行うようにしている。
上記実施の形態１では、子局装置２０の受信データ検出部２９および蓄積バッファ部３０のバッファ蓄積量に関連してパワーセーブモードと通常モードの遷移を子局装置２０内に閉じた形で実現しているが、この実施の形態２では、親局装置１０と子局装置２０間で子局装置２０がパワーセーブモードか通常モードであるかのステータスを通知する手順（例えば、親局光送受信部１２および子局光送受信部２２から発行するアイドルパターン程度のやり取り）を定めて、親局光送受信部１２および子局光送受信部２２の発行パターンの授受でステータスを知らせることで、速やかにパワーセーブモードから通常モードに遷移させることができるようになる。
【符号の説明】
【００３５】
１０  親局装置、１２  親局光送受信部、１３  親局光送受信制御部、１４  親局装置制御部、２０  子局装置、２２  子局光送受信部、２３  子局ＰＯＮ制御部、２４  子局ＰＯＮパワーセーブモニタ制御部、２５  子局ネットワーク制御部、２６  ネットワーク送受信部、２７  子局ネットワークパワーモニタ制御部、２８  子局ネットワークＰＨＹ、２９  受信データ検出部、３０  蓄積バッファ部、３３  子局装置制御部、３５  子局光送受信制御部、４０  スターカプラ、５０  光ファイバ、６０  モデム、６１  電話機、６２  ＦＡＸ、６３  ＰＣ。
【図１】
2011120063.tif 000003
【図２Ａ】
2011120063.tif 000004
【図２Ｂ】
2011120063.tif 000005
【図３Ａ】
2011120063.tif 000006
【図３Ｂ】
2011120063.tif 000007
【図４Ａ】
2011120063.tif 000008
【図４Ｂ】
2011120063.tif 000009
【図５Ａ】
2011120063.tif 000010
【図５Ｂ】
2011120063.tif 000011
【図６】
2011120063.tif 000012
【図７Ａ】
2011120063.tif 000013
【図７Ｂ】
2011120063.tif 000014
【図８Ａ】
2011120063.tif 000015
【図８Ｂ】
2011120063.tif 000016